(57)【要約】【課題】  簡素な構成で安価に製造することができ、かつ、作業機械のキャブ内のオペレータに効率よく空調風を供給できるようにした、後付けが可能な、作業機械用エアコン装置を提供する。【解決手段】  作業機械にそなえられるエアコン装置において、アームレスト１は、内部に第１のエアコン用送風路５をそなえ、表面部に該第１のエアコン用送風路５に連通する吹出口１０をそなえ、該第１のエアコン用送風路５には、該アームレスト１をそなえたシート２後部にそなえられたエアコン本体３から延出された第１のエアコン用ダクト４ａが接続されているようにする。【選択図】        図１
2006218902.tif 000002
【特許請求の範囲】
【請求項１】
作業機械にそなえられるエアコン装置であって、
アームレストは、内部に第１のエアコン用送風路をそなえ、表面部に該第１のエアコン用送風路に連通する吹出口をそなえ、
該第１のエアコン用送風路には、該アームレストをそなえたシート後部にそなえられたエアコン本体から延出された第１のエアコン用ダクトが接続されている
ことを特徴とする、作業機械用エアコン装置。
【請求項２】
該吹出口は、肘掛面に形成されている
ことを特徴とする、請求項１記載の作業機械用エアコン装置。
【請求項３】
該吹出口は、肘掛面よりも内側の面に形成されている
ことを特徴とする、請求項１又は２記載の作業機械用エアコン装置。
【請求項４】
ヘッドレストと、該ヘッドレストを支持するヘッドレスト支持部との何れかの部分は、内部に第２のエアコン用送風路をそなえ、表面部に該第２のエアコン用送風路に連通する吹出口をそなえ、
該第２のエアコン用送風路には、該エアコン本体から延出された第２のエアコン用ダクトが接続されている
ことを特徴とする、請求項１〜３の何れか１項に記載の作業機械用エアコン装置。
【請求項５】
該第２のエアコン用ダクトは、該第１のエアコン用ダクトから分岐している
ことを特徴とする、請求項４記載の作業機械用エアコン装置。
【発明の詳細な説明】
【技術分野】
【０００１】
本発明は、建設機械等の作業機械のキャブ内に用いて好適の、エアコン装置に関するものである。
【背景技術】
【０００２】
近年、建設機械（例えば、油圧ショベル）等の作業機械において、エアコンディショナ（エアコン）を装備してキャブ内を空調できるようにしたものが増加している。通常、キャブ内のオペレータ席の後部にエアコンユニットを配置して、ここからエアコン用ダクトを介してキャブ内の空調風（冷暖房用送風）の吹出口を開口させている。
作業機械の場合、オペレータシートの前方や側方には、作業用機器類を操作する操作レバー等が配置されており、また、キャブの前部や側部及び後部には、作業時に外方を視認するために大きな窓ガラスがそなえられており、操作レバー等と干渉することなく且つ周囲の視認性を悪化させることなく吹出口を配置しなくてはならない。
【０００３】
そこで、従来の吹出口の配置位置としては、一般に、キャブの前部左右のピラーが設けられている部分の下部等が採用されている。
また、例えば、特許文献１記載の技術のように、建設機械に関し、オペレータシート内部に送風路を形成し、この送風路に連通する吹出口をシート前面の任意箇所に形成したものも提案されている。
【０００４】
また、特許文献２には、車両用シートに関し、空調装置はシートクッションフレームに取り付けられ、空調装置から延びるダクトがシート内にそなえられて、シート表面側に延びる通路を介して、空調装置からの空気がシート表面側に送風されるようにした技術が開示されている。
また、特許文献３には、建設機械に関し、フロアとオペレータシートとの間に空調機本体を配置し、オペレータシートと、ヘッドレストやアームレストに設けられた空気吹き出しグリルと、空調機本体とがユニット化された技術が開示されている。
【０００５】
さらに、特許文献４には、自動車等の車両に係る車両用空調装置についての技術が開示されており、ここでは、車両の車室内中央部に装備された箱体状のセンタコンソールボックスの上端部に一体的に設けられた中空のアームレストに、車室内の前方側に配置されたフロント空調ユニットからセンタコンソールボックスまで車室内中央部の床面に沿って延長された接続ダクトが接続されて、アームレストの表面に形成された複数の吹出穴から冷風や温風が吹き出されるようになっている。
【０００６】
【特許文献１】特開２００３−８２７０６号公報
【特許文献２】特開２００２−２２５５３９号公報
【特許文献２】実開平６−２２０２１号公報
【特許文献４】特開２００４−２０３３３６号公報
【発明の開示】
【発明が解決しようとする課題】
【０００７】
ところで、空調効率を考えると、空調風を直接オペレータに当てることができるように吹出口を設けることが好ましく、また、オペレータに近い位置が好ましい。
しかしながら、従来のように、シート前方のピラー部付近の吹出口からの送風では、吹出口からオペレータまで距離があるので、空調風がオペレータに当たる際には風が弱まって（すなわち、風量が減少して）しまう。この場合、風量を確保しようとすると、エアコンを高容量のものにしたり、大きなダクトを配置したりすることが必要となり、コスト増や設置スペースの増加を招くほか、ダクトの大型化は、前方の作業視界を妨げてしまうおそれもある。
【０００８】
また、特許文献１〜３記載の技術は、他の装置に影響を与えることなく、オペレータに効率よく空調風を当てることができるが、シート構造が複雑でコストもかかり、また、後付けすることが困難で既存の作業機械には適用し難いという課題がある。
さらに、特許文献４記載の技術では、作業機械では一般にダクトを配置することができる空間は限定されており、この自動車等の車両に係る技術を作業機械に適用することは困難である。
【０００９】
本発明はこのような課題に鑑み案出されたもので、簡素な構成で安価に製造することができ、かつ、作業機械のキャブ内のオペレータに効率よく空調風を供給できるようにした、後付けが可能な、作業機械用エアコン装置を提供することを目的とする。
【課題を解決するための手段】
【００１０】
上記目的を達成するために、請求項１記載の本発明の作業機械用エアコン装置は、作業機械にそなえられるエアコン装置であって、アームレストは、内部に第１のエアコン用送風路をそなえ、表面部に該第１のエアコン用送風路に連通する吹出口をそなえ、該第１のエアコン用送風路には、該アームレストをそなえたシート後部にそなえられたエアコン本体から延出された第１のエアコン用ダクトが接続されていることを特徴としている。
【００１１】
請求項２記載の本発明の作業機械用エアコン装置は、請求項１記載の作業機械用エアコン装置において、該吹出口は、肘掛面に形成されていることを特徴としている。
請求項３記載の本発明の作業機械用エアコン装置は、請求項１又は２記載の作業機械用エアコン装置において、該吹出口は、肘掛面よりも内側の面に形成されていることを特徴としている。
【００１２】
請求項４記載の本発明の作業機械用エアコン装置は、請求項１〜３の何れか１項に記載の作業機械用エアコン装置において、ヘッドレストと、該ヘッドレストを支持するヘッドレスト支持部との何れかの部分は、内部に第２のエアコン用送風路をそなえ、表面部に該第２のエアコン用送風路に連通する吹出口をそなえ、該第２のエアコン用送風路には、該エアコン本体から延出された第２のエアコン用ダクトが接続されていることを特徴としている。
【００１３】
請求項５記載の本発明の作業機械用エアコン装置は、請求項４記載の作業機械用エアコン装置において、該第２のエアコン用ダクトは、該第１のエアコン用ダクトから分岐していることを特徴としている。
【発明の効果】
【００１４】
本発明の作業機械用エアコン装置によれば、アームレストは、内部に第１のエアコン用ダクトに接続された第１のエアコン用送風路をそなえ、表面部（例えば肘掛面）に第１のエアコン用送風路に連通する吹出口をそなえているので、オペレータの近くでオペレータの体のまわりに直接風が吹き込んでくることになり、オペレータに効率よく空調風を当てることができる。例えば、空調風を冷風にすれば、オペレータはアームレストに置いた腕からも涼しさを体感でき、空調風を温風にすれば手先を暖めながら作業をすることができる。
【００１５】
そして、シートの後部にエアコン本体（室内エアコンユニット）がそなえられているので、第１のエアコン用ダクトの距離が短く構成されて、エアコン装置をコンパクトにすることができ、かつ、第１のエアコン用ダクトの距離が短いので、エアコン本体の空調風の温度が外気温の影響を受けて変化したり風量が低下したりことを防止して、効率よく空調することができる。
【００１６】
また、エアコン本体と第１のエアコン用ダクトは、シート（アームレストを含む）とは別体であって、第１のエアコン用ダクトはシート外部からアームレストに接続されるようになっているので、本発明の作業機械用エアコン装置は、既存の作業機械にも容易に後付けすることができる。
また、吹出口を、肘掛面に加えて肘掛面よりも内側の面にも形成すれば、オペレータの着座する方向に向かっても空調風が送出されるので、オペレータの体を包みこむように送風することができる。
【００１７】
また、ヘッドレスト部分についてもアームレストと同様に、ヘッドレスト部分は、内部に第２のエアコン用ダクトに接続された第２のエアコン用送風路をそなえ、表面部に第２のエアコン用送風路に連通する吹出口をそなえているので、オペレータの首回りからもオペレータに直接当たるように風が吹き込んでくることになり、オペレータにより効率よく空調風を当てることができる。
【００１８】
また、ヘッドレスト部分に接続されている第２のエアコン用ダクトは、アームレストに接続されている第１のエアコン用ダクトから分岐して設けられているので、ダクトの構成が簡素になるという利点がある。
【発明を実施するための最良の形態】
【００１９】
以下、図面により、本発明の実施の形態について説明する。
〔第１実施形態〕
図１〜図３は本発明の第１実施形態に係る作業機械用エアコン装置を示すもので、図１はそのアームレスト及びヘッドレストをそなえたシート周辺の概要を示す側面図、図２はそのアームレストの上面斜視図、図３は図２のＡ−Ａ矢視断面図である。
【００２０】
本実施形態では、建設機械のキャブ内のオペレータ用シートのアームレスト及びヘッドレストに本発明を適用したものを説明する。
図１に示すように、アームレスト１をそなえたシート２の後部のシート２に接近した箇所に、エバポレータ及びヒータコア等からなる室内エアコンユニット（以下、単にエアコンユニットと記す）３が配設されている。このエアコンユニット３には、シート２のアームレスト１の後部に向けて延出したエアコン用ダクト（第１のエアコン用ダクト）４ａが配設され、エアコン用ダクト４ａの一端はアームレスト１に接続されている。なお、コンデンサ等からなる室外エアコンユニット（図示略）は、キャブ外に配設されている。
【００２１】
そして、図１の点線及び図３に示すように、アームレスト１内には中空部分が形成され、この中空部分がエアコン用送風路（第１のエアコン用送風路）５として構成されている。さらに、図２に示すように、アームレスト１の上面（肘掛面）１ｕには、送風路５に連通する吹出口１０が形成されている。
この例では、吹出口１０は、等間隔に縦横に配列された複数の孔（微小な円形孔）１１からなっている。なお、本実施形態のアームレスト１は樹脂製であり、アームレスト１の上面１ｕ部分の樹脂成形時に、各円形孔１１も同時成形することができる。この場合、例えばアームレスト１は通気性に優れた部材（例えば、メッシュ状表皮やクッション部材）で被覆される等しても良い。
【００２２】
また、図１の点線で示すように、ヘッドレスト６についても、アームレスト１と同様にヘッドレスト６内部には中空部分が形成され、この中空部分がエアコン用送風路（第２のエアコン用送風路）７として構成されている。そして、アームレスト１に接続されているエアコン用ダクト４ａから分岐したエアコン用ダクト（第２のエアコン用ダクト）４ｂが、ヘッドレスト６の裏面６ｂに接続されている。
【００２３】
図１に示すように、ヘッドレスト６の表面６ａには、送風路に連通する吹出口２０が形成されている。この吹出口２０は、複数の孔（微小な円形孔）２１から構成されていても良いし、スリット状に構成されていても良い（図５参照）。
なお、本実施形態のヘッドレスト６は樹脂製であり、ヘッドレスト６の樹脂成形時に、吹出口２０を同時成形することができるものとする。この場合、例えばヘッドレスト６は通気性に優れた部材で被覆される等しても良い。
【００２４】
また、ヘッドレスト６の構成はこれに限らず、スチールフレームによる骨組みの周囲に、ウレタンパッドなどのクッション材が被覆され、更に表皮がかぶせられているものであっても良い。この場合、クッション材や表皮において、送風したい箇所を通風可能にすれば良く、例えば、クッション材に孔を形成し、その孔を吹出口としても良い。
【００２５】
本発明の第１実施形態にかかる作業機械用エアコン装置は上述のように構成されているので、以下のような作用，効果がある。
エアコンユニット３からの空調風は、エアコン用ダクト４ａから送風路５を通ってアームレスト１に設けられた吹出口１０から送出されるので、オペレータに接近した位置からオペレータの腕又は体に向けて、しかも、オペレータの体のまわりに吹き込むように空調風が供給されることになり、オペレータに効率よく風を当てることができる。特に、例えば、夏には冷風によりアームレスト１に置いた腕からも涼しさを体感でき、冬には、温風により手先を暖めることができる。
【００２６】
また、エアコンユニット３からの空調風は、エアコン用ダクト４ａから分岐されたダクト４ｂを通り、送風路７を通ってヘッドレスト６に設けられた吹出口２０から送出されるので、首回りからも空調風が供給されることになり、オペレータにより効率よく風を当てることができる。
そして、シート２の後部にエアコンユニット３がそなえられているので、エアコン用ダクト４ａ，４ｂの距離が短く構成されて、エアコン装置をコンパクトにすることができ、かつ、エアコン用ダクト４ａ，４ｂの距離が短いので、エアコンユニット３の空調風の温度が外気温の影響を受けて変化したり風量が低下したりことを防止して、効率よく空調することができる。
【００２７】
また、エアコンユニット３とエアコン用ダクト４ａ，４ｂは、アームレスト１やヘッドレスト６を含むシート２とは別体であって、エアコン用ダクト４ａ，４ｂはシート２外部からアームレスト１やヘッドレスト６に接続されるようになっているので、本発明の作業機械用エアコン装置は、既存の作業機械にも容易に後付けすることができる。
なお、ここではアームレスト１の円形孔１１を３行１０列の計３０個形成したが、この円形孔１１の数や大きさは便宜上のもので、この限りではなく適宜設定しうるものである。
【００２８】
〔第２実施形態〕
次に、図４及び図５を参照して、本発明の第２実施形態について説明する。図４，図５は、本発明の第２実施形態に係る作業機械用エアコン装置を示すもので、図４はその模式的な断面図（図３と対応する図）、図５はそのアームレストをそなえたシートにおけるアームレストからの空調風の流れを説明する図である。なお、第１実施形態のものと同じ部材等は、第１実施形態の説明と同一の符号で説明する。
【００２９】
本実施形態では、図４に示すように、複数の円形孔１１からなるアームレスト１の吹出口１０が、第１実施形態と同様なアームレスト１の上面１ｕに加えて、さらに、アームレスト１の上面１ｕに隣接する内側面１ｓと、これらの上面１ｕと内側面１ｓとをなだらかに結ぶ曲面１ｃにも形成されている。他の構成は、第１実施形態と同様であるので説明は省略する。
【００３０】
本発明の第２実施形態にかかる作業機械用エアコン装置は上述のように構成されているので、以下のような作用，効果がある。
内側面１ｓ及び曲面１ｃに形成された円形孔１１を通るアームレスト１からの空調風は、図４に示すようにオペレータの着座する方向に向かって送出されるので、アームレスト１からの空調風は、全体として図５に示す矢印のように送出され、オペレータの体をより包みこむように送風することができる。
【００３１】
〔第３実施形態〕
次に、図６を参照して、本発明の第３実施形態について説明する。図６は本発明の第３実施形態に係る作業機械用エアコン装置を示す模式的な断面図（図３，４と対応する図）である。なお、第１実施形態のものと同じ部材等は、第１実施形態の説明と同一の符号で説明する。
【００３２】
本実施形態では、図６に示すように、アームレスト１の上面１ｕを構成する外殻が、第１，２実施形態のものよりも大きな厚みｄを有するように形成され、本実施形態における吹出口１０を形成する複数の孔（円形孔）１１´も、所定の長さを有するように、アームレスト１の上面１ｕ部分に形成されている。そして、この円形孔１１´は、厚みｄの外殻内で傾斜しており、送風路５からアームレスト１外部へ向かってそれぞれ所定の角度を持って、オペレータ側に向けて斜めに開口されている。
【００３３】
ここで、厚みｄの外殻内での円形孔１１´の傾斜は、アームレスト１からの空調風の吹出方向のガイドとして機能し、厚みｄは、このガイドとしての機能を果たすのに十分な大きさとする。なお、指向性に有効であれば、外殻全てにおいて大きな厚みｄを有するように形成する必要はなく、ガイド機能を果たす円形孔１１´の周囲部分だけ大きな厚みｄを有するように形成しても良い。
【００３４】
本発明の第３実施形態にかかる作業機械用エアコン装置は上述のように構成されているので、以下のような作用，効果がある。
本実施形態によれば、アームレスト側面１ｓ及び曲面１ｃに吹出口１０を形成することなく、上面１ｕのみに吹出口１０を設けるだけで、アームレスト１からの空調風は図６に示す矢印のようにオペレータの着座する方向に向けて斜めに送出され、オペレータの体を包みこむように送風することができる。
【００３５】
〔第４実施形態〕
次に、図７を参照して、本発明の第４実施形態について説明する。図７は、本発明の第４実施形態に係る作業機械用エアコン装置を示す上面斜視図である。なお、第１実施形態のものと同じ部材等は、第１実施形態の説明と同一の符号で説明する。
本実施形態では、アームレスト１の吹出口１０として、第１実施形態における複数の微小な円形孔１１に代えて、図７に示すように、複数のスリット状の孔（スリット）１２が形成されたものである。
【００３６】
本発明の第４実施形態にかかる作業機械用エアコン装置は上述のように構成されているので、以下のような作用，効果がある。
【００３７】
アームレスト１の吹出口１０をスリット１２により形成しているので、吹出口１０を複数の微小な円形孔１１に形成することに比べて、吹出口１０の成形が容易になるという利点がある。
なお、ここではスリット１２を３行３列の計９個形成したが、このスリット１２の数や配置は便宜上のもので、この限りではなく適宜設定しうるものである。
【００３８】
〔第５実施形態〕
次に、図８を参照して、本発明の第５実施形態について説明する。図８は、本発明の第５実施形態に係る作業機械用エアコン装置を示す上面斜視図である。なお、第１実施形態のものと同じ部材等は、第１実施形態の説明と同一の符号で説明する。
【００３９】
本実施形態では、アームレスト１の吹出口１０として、第１実施形態における複数の微小な円形孔１１に代えて、図８に示すように、吹出方向（角度）を変更可能なルーバ１３（複数の羽根板を一定の間隔で平行に取り付け且つ角度調整可能としたもの）が形成されたものである。
【００４０】
本発明の第５実施形態にかかる作業機械用エアコン装置は上述のように構成されているので、以下のような作用，効果がある。
ルーバ１３の角度を垂直に設定すれば、アームレスト１からの空調風はまっすぐ上方に送出され、オペレータ側に角度を斜めに設定すれば、オペレータの体を包み込むように送出することができる。
なお、この場合、例えばルーバ１３を設けた部分を通気性に優れた布（メッシュ状表皮，クッション材等）で被覆し、オペレータがアームレスト１に肘をついた際に直接ルーバ１３に触れないようにすることが好ましい。
【００４１】
また、ここでは吹出口１０をアームレストの延びる方向に３つに分けて形成したが、吹出口１０の分割数はこれに限らず、１つのみに形成しても良いし、２つや４つ等の複数に分けて形成しても良い。
【００４２】
〔その他〕
以上、本発明の実施形態について説明したが、本発明は、上記実施形態に限定されず、本発明の趣旨を逸脱しない範囲で種々変形することが可能である。
例えば、エアコンは、冷房または暖房のいずれか一方の機能を有するものであっても良い。
また、本実施形態では、本発明のアームレスト及びヘッドレストを建設機械のキャブ内のオペレータシートに適用した場合について説明したが、その他の作業機械のシートにも適用することができる。
【図面の簡単な説明】
【００４３】
【図１】本発明の第１実施形態に係るアームレスト及びヘッドレストをそなえたシート周辺の概要を示す側面図である。
【図２】本発明の第１実施形態に係るアームレストを示す上面斜視図である。
【図３】本発明の第１実施形態に係るアームレストを示すもので、図２のＡ−Ａ矢視断面図である。
【図４】本発明の第２実施形態に係るアームレストの模式的な断面図である。
【図５】本発明の第２実施形態に係るアームレストからの空調風の流れを説明する図である。
【図６】本発明の第３実施形態に係るアームレストの模式的な断面図である。
【図７】本発明の第４実施形態に係るアームレストを示す上面斜視図である。
【図８】本発明の第５実施形態に係るアームレストを示す上面斜視図である。
【符号の説明】
【００４４】
１  アームレスト
１ｃ  曲面
１ｓ  内側面
１ｕ  上面（肘掛面）
２  シート（オペレータシート）
３  エアコンユニット（室内ユニット，エアコン本体）
４ａ，４ｂ  エアコン用ダクト
５  送風路（第１のエアコン用送風路）
６  ヘッドレスト
６ａ  表面
６ｂ  裏面
７  送風路（第２のエアコン用送風路）
１０  吹出口
１１，１１´  円形孔
１２  スリット
１３  ルーバ
２０  吹出口
２１  円形孔
ｄ  アームレスト上面の外殻の厚み
【図１】
2006218902.tif 000003
【図２】
2006218902.tif 000004
【図３】
2006218902.tif 000005
【図４】
2006218902.tif 000006
【図５】
2006218902.tif 000007
【図６】
2006218902.tif 000008
【図７】
2006218902.tif 000009
【図８】
2006218902.tif 000010